(57)【要約】【課題】好ましい色の画像を生成するための情報を確実に後工程に伝えるとともに、だれにでも容易に前工程での要望が反映された画像を取得することができる画像処理装置、画像処理システム、および画像処理プログラムを提供することを目的とする。【解決手段】画像を表わす画像データと、画像データが表わす画像の色に関する評価を表わす評価データとが対応付けられた評価画像データセットを取得するデータセット取得部と、データセット取得部で取得された評価画像データセットの画像データに、評価画像データセットの評価データが表わす評価に応じた画像処理を施す画像処理部とを備えたことを特徴とする。例えば、編集工程で評価画像データセットを生成し、印刷工程では、評価画像データセットの評価データが表わす評価に応じた画像処理を行うことによって、画像の色に関する評価を確実に印刷に反映させることができる。【選択図】        図１１
2006033721.tif 000002
【特許請求の範囲】
【請求項１】
画像を表わす画像データと、該画像データが表わす画像の色に関する評価を表わす評価データとが対応付けられた評価画像データセットを取得するデータセット取得部と、
前記データセット取得部で取得された評価画像データセットの画像データに、該評価画像データセットの評価データが表わす評価に応じた画像処理を施す画像処理部とを備えたことを特徴とする画像処理装置。
【請求項２】
前記評価画像データセットは、画像を表わす画像データと、該画像データが表わす画像の色が所望の色に近い色であるか否かという評価を表わす評価データとが対応付けられたものであり、
前記画像処理部は、前記評価画像データセットの評価データが表わす評価が、所望の色に近い色という評価であるか否かに応じて、それぞれ、画像の色を該所望の色に近づける所定の画像処理を省略し、あるいは、該評価画像データセットの画像データに該所定の画像処理を施すものであることを特徴とする請求項１記載の画像処理装置。
【請求項３】
前記評価画像データセットは、画像を表わす画像データと、該画像データが表わす画像の色と所望の色との相違を表わす評価データとが対応付けられたものであり、
前記画像処理部は、前記評価画像データセットの画像データに、該評価画像データセットの評価データが表わす相違に応じた、画像の色を修正する画像処理を施すものであることを特徴とする請求項１記載の画像処理装置。
【請求項４】
画像を表わす画像データを取得する画像取得部と、
前記画像取得部で取得された画像データが表わす画像の色に関する評価の入力を受け付ける評価受付部と、
前記画像取得部で取得された画像データと、前記評価受付部で受け付けられた評価を表わす評価データとを対応付けて評価画像データセットを生成するデータセット生成部と、
前記評価画像データセットを取得するデータセット取得部と、
前記データセット取得部で取得された評価画像データセットの画像データに、該評価画像データセットの評価データが表わす評価に応じた画像処理を施す画像処理部とを備えたことを特徴とする画像処理システム。
【請求項５】
コンピュータ内で実行され、該コンピュータ上に、
画像を表わす画像データと、該画像データが表わす画像の色に関する評価を表わす評価データとが対応付けられた評価画像データセットを取得するデータセット取得部と、
前記データセット取得部で取得された評価画像データセットの画像データに、該評価画像データセットの評価データが表わす評価に応じた画像処理を施す画像処理部とを構成すること特徴とする画像処理プログラム。
【発明の詳細な説明】
【技術分野】
【０００１】
本発明は、画像データに画像処理を施す画像処理装置、画像処理システム、および画像処理プログラムに関する。
【背景技術】
【０００２】
従来、印刷の分野において、被写体を撮影した撮影画像を取得する撮影工程と、撮影画像を使って印刷物のイメージを編集する編集工程と、編集した画像を印刷する印刷工程とを経て印刷物を生成することが広範に行われている。近年、撮影工程においてデジタルカメラが広く用いられてきており、撮影工程で得られる撮影画像のデジタル化に伴って、後段の編集工程や印刷工程での処理も変化してきている。
【０００３】
図１は、撮影工程において、フィルムに撮影画像を記録する銀塩カメラが適用される場合の一連の印刷処理を示すワークフロー図である。
【０００４】
撮影工程では、銀塩カメラで被写体が撮影され、撮影画像がフィルム１１に記録される。フィルム１１は、撮影工程から編集工程に送られる。
【０００５】
編集工程では、まず、フィルム１１に記録された撮影画像がスキャナなどで一旦粗く読み取られ、この例では、Ｒ（レッド），Ｇ（グリーン），Ｂ（ブルー）に色分解された低解像度データが生成される（ステップＳ１１１）。
【０００６】
編集工程のオペレータである編集者は、パーソナルコンピュータ等を使って、ステップＳ１１１で得られたＲＧＢ形式の低解像度データが表わす低解像度画像が含まれた印刷物のイメージを編集する（ステップＳ１１２）。尚、編集者がページを編集する際に使用するデータ形式は、ＰＳ（ＰｏｓｔＳｃｒｉｐｔ：登録商標）やＰＤＦ（Ｐｏｒｔａｂｌｅ  Ｄｏｃｕｍｅｎｔ  Ｆｏｒｍａｔ）などといったページ記述言語でページを記述するものが一般的であるため、以下では、編集後の印刷物のイメージ（ページ）を表わす画像データをページデータと称する。このステップＳ１１２のページ編集工程では、ページデータに含まれるＲＧＢ形式のページ画像１２がプリンタ等でプリント出力され、このＲＧＢページ画像１２を使ってページのデザインなどが確認される。デザインの確認が終了したページデータは、フィルム１１といっしょに印刷工程に送られる。
【０００７】
印刷工程では、まず、フィルム１１に記録された撮影画像がスキャナ等で高解像度に読み取られる。また、印刷機はＣ（シアン），Ｍ（マゼンタ），Ｙ（イエロー），Ｋ（黒）を重ね合わせて全ての色を表現するため、読み取られた画像データが印刷機に適合したＣＭＹＫ形式の高解像度データに色変換される（ステップＳ１１３）。このとき、印刷工程のオペレータである印刷者によって、ＣＭＹＫ形式の高解像度データが表わすＣＭＹＫ画像１３の色がフィルム１１を見て受ける撮影画像の色の印象となるべく近くなるように、トーンカーブやシャープネスなどに関する各種パラメータが微調整され、それら各種パラメータを使って、色変換処理が行われる。
【０００８】
生成されたＣＭＹＫ形式の高解像度データは、編集工程から送られてきたページデータ中のＲＧＢ形式の低解像度データと差し替えられ、高解像度なＣＭＹＫ形式のページデータが生成される（ステップＳ１１４）。このステップＳ１１４でも、ＣＭＹＫ形式のページデータが表わすＣＭＹＫページ画像１４がプリント出力され、印刷者によって、ＣＭＹＫページ画像１４を使って最終的なページのデザインや色が確認される。
【０００９】
最終確認がなされたＣＭＹＫページデータは印刷機に送られ、印刷機によって印刷画像１５が印刷される（ステップＳ１１５）。
【００１０】
撮影画像がフィルムに記録される場合には、以上のようにして印刷画像１５が生成される。この図１に示す一連の印刷処理は従来から広く行われているため、例えばステップＳ１１３における各種パラメータの調整などといった熟練した技術を要する過程においても、蓄積されたノウハウを利用することができる。しかし、図１のワークフローによると、撮影工程、編集工程、および印刷工程の全てにおいて、撮影画像が記録されたフィルム１１が必要となり、各工程が行われている場所が離れている場合、フィルム１１の受け渡しに多大な時間を要してしまったり、フィルム１１を紛失してしまうと、印刷物を生成することができなくなってしまうなどという問題がある。
【００１１】
続いて、撮影画像がデジタル化されたときの、一連の印刷処理について説明する。
【００１２】
図２は、撮影工程でデジタルカメラが適用される場合の、一連の印刷処理を示すワークフロー図である。
【００１３】
撮影工程において、デジタルカメラで被写体が撮影されて得られた撮影画像データは、小型記録媒体等に記録されて編集工程に送られる。
【００１４】
編集工程では、編集者によって、撮影画像データが表わすＲＧＢ画像２１が見た目に好ましい色になるように、色補正に関する各種パラメータ（例えば、上述したトーンカーブなど）が微調整され、撮影画像データに色補正処理が施される（ステップＳ１２１）。色補正後の撮影画像データは、次回以降に再利用するためにＤＢ２０に保存される。
【００１５】
続いて、編集者によって、色補正後の撮影画像データを使ってページが編集される（ステップＳ１２２）。このステップＳ１２２においても、生成されたページデータが表わすＲＧＢページ画像２２がプリント出力され、編集者によって、ページのデザインや色が確認される。
【００１６】
色およびデザイン確認後のページデータは、印刷工程に送られる。
【００１７】
印刷工程では、まず、編集工程から送られてきたページデータ中の色補正後の撮影画像データが表わすＲＧＢ画像２３がプリント出力される。また、印刷者によって、図１のステップＳ１１３と同様にして、色変換に関する各種パラメータが微調整され、ＲＧＢ形式の撮影画像データがＣＭＹＫ形式の撮影画像データに変換される（ステップＳ１２３）。このとき、印刷者は、ＣＭＹＫ形式の撮影画像データが表わすＣＭＹＫ画像２４の色が、ＲＧＢ画像２３の色と近くなるように各種パラメータを調整する。
【００１８】
さらに、印刷工程では、編集工程から送られてきたページデータ中のＲＧＢ形式の撮影画像データがＣＭＹＫ形式の撮影画像データに差し替えられて、ＣＭＹＫ形式のページデータが生成される。編集者は、このＣＭＹＫ形式のページデータが表わすＣＭＹＫページ画像２５を使って、最終的なページのデザインや色を確認する（ステップＳ１２４）。
【００１９】
最終確認がなされたＣＭＹＫ形式のページデータは印刷機に送られ、印刷機によって印刷画像２６が印刷される（ステップＳ１２５）。
【００２０】
以上のように、撮影工程でデジタルの撮影画像が取得されることによって、ＤＢ２０に保存された撮影画像を編集工程で再利用することができたり（例えば、特許文献１参照）、撮影画像を容易に複製することができるため、フィルムを紛失してしまって印刷物を生成できないなどという不具合を解消することができたり、各工程が離れた場所で行われる場合であっても、通信ネットワーク等を介して撮影画像を送ることができるなどという利点がある。
【００２１】
しかし、図２のステップＳ１２１で編集者が色補正を行う作業は、撮影工程でデジタルカメラが用いられるようになってから行われるようになった作業であり、ノウハウが十分には蓄積されていない。したがって、編集者は試行錯誤しながらＲＧＢ画像２１の色が見た目に好ましい色になるような色補正を行う必要があり、大変手間がかかる作業であるうえ、結局は思い通りの色が得られないことも多い。その結果、印刷工程のステップＳ１２３では、印刷者が、編集者の思い通りの色を有しているのか否かが不確定で、従来の色調整時に用いられていたフィルム１１のようなノウハウの蓄積がないＲＧＢ画像２３を色見本として色調整を行うことになり、多大な時間とコストがかかってしまうという問題がある。また、そのような色調整を行って、ＣＭＹＫ画像２４の色がＲＧＢ画像２３の色に近くなったとしても、そのＲＧＢ画像２３の色自体が不確定であるために、最終的な生成物である印刷画像２６の色と編集者が思い描く印刷物の色のイメージとが合わずにトラブルが発生してしまう恐れがある。
【００２２】
このようなトラブルを解消するため、編集工程から印刷工程に画像データを送るときには、色補正後の画像データが記録されたＣＤ−ＲＯＭなどといった記録媒体に、編集工程における色補正時に用いたプロファイル名などといった色補正処理に関する各種情報が記載されたラベルを貼っておき、後段の印刷工程に編集者の要望を明確に伝えることが推奨されている（非特許文献１参照）。印刷工程における印刷者が、ラベルに記載された内容に応じて色調整用の各種パラメータを調整することによって、編集者の要望が反映された色調整処理を行うことができる。
【特許文献１】特開平９−９０５９９号公報
【非特許文献１】ＲＧＢデジタル画像規格標準化研究会「印刷入稿のためのＲＧＢ画像運用ガイドブック」、第７頁
【発明の開示】
【発明が解決しようとする課題】
【００２３】
しかし、非特許文献１によって推奨されている方法によると、記録媒体に貼られたラベルが搬送中に剥がれてしまったり、撮影画像を通信ネットワークで送る場合などには、印刷工程に編集者の要望を伝えることができないという問題がある。また、この非特許文献１の方法においても、印刷者には、編集者の要望に応じた色調整用のパラメータを設定するための熟練した技術が必要であり、だれにでも容易に編集者の要望が反映された画像を取得することができる画像処理装置の開発が望まれている。
【００２４】
本発明は、上記事情に鑑み、好ましい色の画像を生成するための情報を確実に後工程に伝えるとともに、だれにでも容易に前工程での要望が反映された画像を取得することができる画像処理装置、画像処理システム、および画像処理プログラムを提供することを目的とする。
【課題を解決するための手段】
【００２５】
上記目的を達成する本発明の画像処理装置は、画像を表わす画像データと、画像データが表わす画像の色に関する評価を表わす評価データとが対応付けられた評価画像データセットを取得するデータセット取得部と、
データセット取得部で取得された評価画像データセットの画像データに、評価画像データセットの評価データが表わす評価に応じた画像処理を施す画像処理部とを備えたことを特徴とする。
【００２６】
本発明の画像処理装置によると、画像データと評価データとが対応付けられた評価画像データセットが取得され、その画像データに、評価データが表わす評価に応じた画像処理が自動的に施される。例えば、編集者の要望を表わす評価データを含む評価画像データセットが印刷工程で取得されることによって、編集者の要望が確実に印刷工程に伝えられるとともに、印刷工程では、熟練した技術を必要とせずに、編集者の要望が反映された画像処理を行うことができる。
【００２７】
また、本発明の画像処理装置において、上記評価画像データセットは、画像を表わす画像データと、画像データが表わす画像の色が所望の色に近い色であるか否かという評価を表わす評価データとが対応付けられたものであり、
画像処理部は、評価画像データセットの評価データが表わす評価が、所望の色に近い色という評価であるか否かに応じて、それぞれ、画像の色を所望の色に近づける所定の画像処理を省略し、あるいは、評価画像データセットの画像データに所定の画像処理を施すものであることが好ましい。
【００２８】
例えば、編集工程において、画像データが表わす画像の色が見た目に好ましい色であることが確認されている場合などには、所望の色に近い色という評価を表わす評価データを適用することによって、印刷工程における、画像の色を調整する画像処理を省略することができる。
【００２９】
また、本発明の画像処理装置において、上記評価画像データセットは、画像を表わす画像データと、画像データが表わす画像の色と所望の色との相違を表わす評価データとが対応付けられたものであり、
画像処理部は、評価画像データセットの画像データに、評価画像データセットの評価データが表わす相違に応じた、画像の色を修正する画像処理を施すものであることが好ましい。
【００３０】
画像データが表わす画像の色と所望の色との相違に応じて、画像の色を修正する画像処理が自動的に行われることによって、熟練した技術を必要とせずに、画像データが表わす画像の色を所望の色に補正する画像処理を容易に行うことができる。
【００３１】
また、上記目的を達成する本発明の画像処理システムにおいて、画像を表わす画像データを取得する画像取得部と、
画像取得部で取得された画像データが表わす画像の色に関する評価の入力を受け付ける評価受付部と、
画像取得部で取得された画像データと、評価受付部で受け付けられた評価を表わす評価データとを対応付けて評価画像データセットを生成するデータセット生成部と、
評価画像データセットを取得するデータセット取得部と、
データセット取得部で取得された評価画像データセットの画像データに、評価画像データセットの評価データが表わす評価に応じた画像処理を施す画像処理部とを備えたことを特徴とする。
【００３２】
本発明の画像処理システムによると、画像データが表わす画像の色に関する評価を確実に後工程に伝えるとともに、その評価に応じた画像処理を容易に実行することができる。
【００３３】
また、上記目的を達成する本発明の画像処理プログラムは、コンピュータ内で実行され、そのコンピュータ上に、
画像を表わす画像データと、画像データが表わす画像の色に関する評価を表わす評価データとが対応付けられた評価画像データセットを取得するデータセット取得部と、
データセット取得部で取得された評価画像データセットの画像データに、評価画像データセットの評価データが表わす評価に応じた画像処理を施す画像処理部とを構成すること特徴とする。
【００３４】
本発明の画像処理プログラムをコンピュータ内で実行させることによって、そのコンピュータを上記のような画像処理装置として動作させることができる。
【００３５】
また、本発明の画像処理プログラムがコンピュータ上に構成する画像取得部などといった要素は、１つの要素が１つのプログラム部品によって構成されるものであってもよく、１つの要素が複数のプログラム部品によって構成されるものであってもよく、複数の要素が１つのプログラム部品によって構成されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００３６】
本発明によれば、好ましい色の画像を生成するための情報を確実に後工程に伝えるとともに、だれにでも容易に前工程での要望が反映された画像を取得することができる画像処理装置、画像処理システム、および画像処理プログラムを提供することができる。
【発明を実施するための最良の形態】
【００３７】
以下、本発明の実施形態について説明する。
【００３８】
図３は、本発明の一実施形態が適用された印刷システムの全体構成図である。
【００３９】
印刷システム１は、編集工程と印刷工程とを経て印刷物を作成するシステムであり、編集装置３０と、カラープリンタ２と、色変換装置４０と、オンデマンド印刷機３と、印刷機４とで構成されている。本実施形態においては、編集装置３０とカラープリンタ２はＲＧＢ形式の画像データのみ取り扱うことができ、印刷機４はＣＭＹＫ形式の画像データのみ取り扱うことができ、色変換装置４０とオンデマンド印刷機３はＲＧＢ形式とＣＭＹＫ形式の両形式の画像データを取り扱うことができるものとする。また、編集工程と印刷工程とは相互に離れた場所に備えられており、編集工程の編集装置３０と印刷工程の色変換装置４０とは通信ネットワークを介して接続されている。
【００４０】
編集工程の編集装置３０には、デジタルカメラによる被写体の撮影などによって得られたＲＧＢ形式の画像データが送られてくる。編集装置３０では、まず、予め用意されている標準的な色補正プロファイル等を使って、ＲＧＢ画像データが表わす画像の色を見た目に好ましい色に補正するための色補正処理が行われる。尚、この色補正処理は、編集者からの指示に従って行われるものであり、省略される場合もある。さらに、編集装置３０では、編集者によって、ＲＧＢ画像データが表わす画像を含むページが編集され、ＲＧＢ画像データが組み込まれたＲＧＢページデータが生成される。ＲＧＢページデータが表わす画像やＲＧＢ画像データが表わす画像は、カラープリンタ２でプリント出力されて、デザインや色などが確認される。編集工程で生成されたＲＧＢページデータやＲＧＢ画像データは、通信ネットワーク等を介して印刷工程に送られる。
【００４１】
印刷工程では、色変換装置４０においてＲＧＢページデータ中のＲＧＢ画像データがＣＭＹＫ形式の画像データに色変換され、色変換後のＣＭＹＫページデータが印刷機４に送られて印刷画像が印刷される。尚、印刷工程では、編集者からの要望に応じた色変換処理が行われる。したがって、編集工程で行われた色補正処理の精度や、ＲＧＢ画像データが表わす画像の色がどの程度信頼できる色なのかが、印刷工程に確実に伝えられている必要がある。
【００４２】
印刷システム１は、基本的には以上のように構成されている。
【００４３】
ここで、図３に示す印刷システム１における、本発明の一実施形態としての特徴は、編集工程で得られたＲＧＢ画像データが表わす画像の色の評価を印刷工程に明確に伝え、印刷工程において、その評価に応じた画像処理を行う一連の処理にある。以下、印刷システム１を構成する編集装置３０および色変換装置４０について説明する。尚、編集装置３０と色変換装置４０はともに同様なパーソナルコンピュータ等で構成されているため、それらの外観およびハードウェア構成については、同じ符号を付して、編集装置３０と色変換装置４０とをいっしょに説明する。
【００４４】
図４は、図３の編集装置および色変換装置を構成しているパーソナルコンピュータの外観斜視図、図５はそのハードウェア構成図である。
【００４５】
編集装置３０および色変換装置４０を構成しているパーソナルコンピュータは、外観構成上、本体装置３１、その本体装置３１からの指示に応じて表示画面３２ａ上に画像を表示する画像表示装置３２、本体装置３１に、キー操作に応じた各種の情報を入力するキーボード３３、および、表示画面３２ａ上の任意の位置を指定することにより、その位置に表示された、例えばアイコン等に応じた指示を入力するマウス３４を備えている。この本体装置３１は、外観上、フレキシブルディスク（以下ではＦＤと省略する）を装填するためのＦＤ装填口３１ａ、およびＣＤ−ＲＯＭを装填するためのＣＤ−ＲＯＭ装填口３１ｂを有する。
【００４６】
本体装置３１の内部には、図５に示すように、各種プログラムを実行するＣＰＵ３１１、ハードディスク装置３１３に格納されたプログラムが読み出されＣＰＵ３１１での実行のために展開される主メモリ３１２、各種プログラムやデータ等が保存されたハードディスク装置３１３、ＦＤ１００が装填され、そのＦＤ１００をアクセスするＦＤドライブ３１４、ＣＤ−ＲＯＭ１１０をアクセスするＣＤ−ＲＯＭドライブ３１５、外部装置から画像データを受け取る入力インタフェース３１６、外部装置に画像データを送る出力インタフェース３１７が内蔵されており、これらの各種要素と、さらに図４にも示す画像表示装置３２、キーボード３３、マウス３４は、バス３５を介して相互に接続されている。
【００４７】
ここで、ＣＤ−ＲＯＭ１１０にはデータ生成プログラムが記憶されており、そのＣＤ−ＲＯＭ１１０は、図３に示す編集装置３０のＣＤ−ＲＯＭドライブ３１５に装填され、ＣＤ−ＲＯＭ１１０に記憶されたデータ生成プログラムが編集装置３０にアップロードされてハードディスク装置３１３に記憶される。
【００４８】
また、図５には図示しないＣＤ−ＲＯＭ１１１には画像処理プログラムが記憶されており、そのＣＤ−ＲＯＭ１１１は、図３に示す色変換装置４０のＣＤ−ＲＯＭドライブ３１５に装填され、そのＣＤ−ＲＯＭ１１１に記憶された画像処理プログラムが色変換装置４０にアップロードされてハードディスク装置３１３に記憶される。
【００４９】
こうして、色変換装置４０は、本発明の画像処理装置の一実施形態として動作するとともに、編集装置３０と色変換装置４０とを合わせたものは、本発明の画像処理システムの一例として動作する。
【００５０】
次に、編集装置３０内で実行されるデータ生成プログラムと、色変換装置４０内で実行される画像処理プログラムについて説明する。
【００５１】
図６は、データ生成プログラムおよび画像処理プログラムそれぞれが記憶されたＣＤ−ＲＯＭ１１０，１１１を示す概念図である。
【００５２】
図６のパート（Ａ）に示すデータ生成プログラム４１０は、図１に示す編集装置３０内で実行されるものであり、画像取得部４１１と、色補正部４１２と、評価受付部４１３と、評価組み込みデータ生成部４１４と、画像記録部４１５と、ページデータ生成部４１６とを有する。
【００５３】
また、図６のパート（Ｂ）に示す画像処理プログラム４２０は、図１に示す色変換装置４０内で実行されるものであり、データ取得部４２１と、評価出力部４２２と、画像処理部４２３とを有する。
【００５４】
これらデータ生成プログラム４１０および画像処理プログラム４２０の各要素の詳細については後述する。
【００５５】
図７は、図３に示す編集装置３０および色変換装置４０の機能ブロック図である。
【００５６】
この編集装置３０は、画像取得部５１１と、色補正部５１２と、評価受付部５１３と、評価組み込みデータ生成部５１４と、画像記録部５１５と、ページデータ生成部５１６とから構成されており、これら画像取得部５１１、色補正部５１２、評価受付部５１３、評価組み込みデータ生成部５１４、画像記録部５１５、ページデータ生成部５１６は、図６のパート（Ａ）に示すデータ生成プログラム４１０を構成する、画像取得部４１１、色補正部４１２、評価受付部４１３、評価組み込みデータ生成部４１４、画像記録部４１５、ページデータ生成部４１６それぞれによってパーソナルコンピュータ上に構成されている。このように、図７に示す編集装置３０の各要素は、図６のパート（Ａ）に示すデータ生成プログラム４１０の各要素それぞれに対応するが、図７の各要素は図４に示すパーソナルコンピュータのハードウェアとそのパーソナルコンピュータで実行されるＯＳやアプリケーションプログラムとの組み合わせで構成されているのに対し、図６のパート（Ａ）に示す各要素はそれらのうちのアプリケーションプログラムのみにより構成されている点が異なる。
【００５７】
また、図７に示す色変換装置４０は、データ取得部５２１と、評価出力部５２２と、画像処理部５２３と、画像表示部５２４とから構成されており、これらデータ取得部５２１、評価出力部５２２、画像処理部５２３は、図６のパート（Ｂ）に示す画像処理プログラム４２０を構成する、データ取得部４２１、評価出力部４２２、画像処理部４２３それぞれによってパーソナルコンピュータ上に構成されている。このように、図７に示す色変換装置４０の各要素は、図６のパート（Ｂ）に示す画像処理プログラム４２０の各要素それぞれに対応するが、図７の各要素は図４に示すパーソナルコンピュータのハードウェアとそのパーソナルコンピュータで実行されるＯＳやアプリケーションプログラムとの組み合わせで構成されているのに対し、図６のパート（Ｂ）に示す各要素はそれらのうちのアプリケーションプログラムのみにより構成されている点が異なる。
【００５８】
以下、図７に示す編集装置３０および色変換装置４０の各要素を説明することによって、図６に示すデータ生成プログラム４１０および画像処理プログラム４２０の各要素も併せて説明する。
【００５９】
図７に示す編集装置３０の画像取得部５１１では、編集工程よりも前工程の撮影工程において、デジタルカメラで被写体が撮影されて得られたＲＧＢ形式の撮影画像データなどが取得される。
【００６０】
色補正部５１２は、画像取得部５１１で得られたＲＧＢ画像データに、編集者によって指定された色補正用パラメータに従った色補正処理や、予め用意された色補正プロファイルを使った標準的な色補正処理などを施して、補正後ＲＧＢデータを生成する。この色補正部５１２での色補正処理は、編集者からの指示に応じて行われるものであり、省略される場合もあるが、説明の便宜上、色補正処理が省略されたＲＧＢ画像データも補正後ＲＧＢデータと称して説明する。
【００６１】
評価受付部５１３は、補正後ＲＧＢデータが表わすＲＧＢ補正画像の色の評価の入力を受け付けて、その色の評価を表わす評価データを生成する。この評価受付部５１３は、本発明における評価受付部の一例に相当する。
【００６２】
評価組み込みデータ生成部５１４は、補正後ＲＧＢデータに評価データを組み込んで、評価組み込みデータを生成する。この評価組み込みデータ生成部５１４は、本発明におけるデータセット生成部の一例に相当する。
【００６３】
画像記録部５１５は、補正後ＲＧＢデータおよび評価組み込みデータを、図５に示すハードディスク装置３１３やＣＤ−ＲＯＭなどに記録する。
【００６４】
ページデータ生成部５１６は、評価組み込みデータに含まれる補正後ＲＧＢデータが表わすＲＧＢ補正画像が配置されたページを表わし、評価組み込みデータが組み込まれたＲＧＢページデータを生成する。
【００６５】
色変換装置４０のデータ取得部５２１は、編集装置３０のページデータ生成部５１６で生成された、評価組み込みデータが組み込まれたＲＧＢページデータを取得する。このデータ取得部５２１は、本発明におけるデータセット取得部の一例に相当する。
【００６６】
評価出力部５２２は、ＲＧＢページデータに組み込まれた評価組み込みデータの評価データを、色変換装置４０の画像表示装置３２やオンデマンド印刷機３に送り、それら画像表示装置３２やオンデマンド印刷機３に評価データが表わす評価を出力させる。
【００６７】
画像処理部５２３は、ＲＧＢページデータに組み込まれた評価組み込みデータの補正後ＲＧＢデータに、評価組み込みデータの評価データが表わす評価に応じた画像処理すとともに、補正後ＲＧＢデータをＣＭＹＫ形式の画像データに変換して、ＣＭＹＫ形式のＣＭＹＫページデータを生成する。この画像処理部５２３は、本発明にいう画像処理部の一例に相当する。生成されたＣＭＹＫページデータは、図３の印刷機４に送られて、印刷機４でＣＭＹＫページデータが表わすページが生成される。
【００６８】
編集装置３０および色変換装置４０は、基本的には以上のように構成されている。
【００６９】
図８は、編集工程において画像データが取得されて、評価組み込みデータが組み込まれたＲＧＢページデータが生成されるまでの一連の処理を示すフローチャートであり、図９は、印刷工程においてＲＧＢページデータが取得されて、印刷が行われるまでの一連の処理を示すフローチャートである。以下では、これら図８および図９のフローチャートに従って説明を行う。
【００７０】
まずは、図８のフローチャートに従って、編集装置３０で行われる一連の処理について説明する。
【００７１】
撮影工程で取得されたＲＧＢ形式の画像データは、編集装置３０の画像取得部５１１に取得される（図８のステップＳ１１）。取得されたＲＧＢ画像データは、色補正部５１２に送られる。
【００７２】
色補正部５１２は、画像取得部５１１で得られたＲＧＢ画像データに色補正処理を施す（図８のステップＳ１２）。この色補正処理は、編集者の指示に従って行われるものであり、省略されることもあるが、この例では、編集者と印刷者との間で予め取り決められた標準の色補正プロファイルが用いられ、ＲＧＢ画像データが表わす画像の色を見た目に好ましい色にするための標準的な色補正処理が施される。色補正後の補正後ＲＧＢデータは、評価組み込みデータ生成部５１４に送られるとともに、図３に示すカラープリンタ２にも送られて、カラープリンタ２で補正後ＲＧＢデータが表わすＲＧＢ補正画像がプリント出力される（図８のステップＳ１３）。
【００７３】
編集者は、プリント出力されたＲＧＢ補正画像を目視で確認し、予め用意されている評価入力用画面に従って、思い描いている印刷物の色のイメージに対するＲＧＢ補正画像の色の評価を入力する（図８のステップＳ１４）。
【００７４】
図１０は、評価入力用画面の一例を示す図である。
【００７５】
評価入力用画面６００は、画像ＩＤ入力部６０１、画像名称入力部６０２、画質検定状況入力部６０３、画質評価年月日入力部６０４、画質評価者入力部６０５、画質評価装置入力部６０６、プリンタ色再現性入力部６０７、全体色差入力部６０８、グレー色差入力部６０９、画質評価結果入力部６１０、コメント入力部６１１などで構成されている。
【００７６】
画像ＩＤ入力部６０１には、ＲＧＢ補正画像を識別する画像ＩＤが入力され、画像名称入力部６０２には、ＲＧＢ補正画像の画像名称が入力される。
【００７７】
また、画質検定状況入力部６０３には、編集者がＲＧＢ補正画像の色を確認したか否かが入力される。本実施形態においては、編集者が、ＲＧＢ補正画像の色が見た目に好ましく、補正後ＲＧＢデータに対して、ＲＧＢ補正画像の色を修正する色修正処理を施す必要がないと確認した場合には「画質検定完了」、ＲＧＢ補正画像の色が思い描いている色とは異なり、補正後ＲＧＢデータに対して、ＲＧＢ補正画像の色を修正する色修正処理を施す必要があると確認した場合には「画質検定未了」と入力され、また、ステップＳ１２における色補正処理が行われておらず、撮影工程から取得されたそのままの画像である場合には「撮影オリジナル」と入力される。
【００７８】
また、画質評価年月日入力部６０４には、評価を行った日付が入力され、画質評価者入力部６０５には、評価を行った編集者の氏名が入力され、画質評価装置入力部６０６には、ＲＧＢ補正画像をプリント出力した、図３に示すカラープリンタ２の商品名が入力される。
【００７９】
カラープリンタ２では、相互に異なる色を有する複数の色パッチで構成されたカラーパッチが予めプリント出力されており、編集者によって、それら色パッチの色度が測色されている。これら測色された色度値と、目標の色度値との平均色差がカテゴリー化されたランクがプリンタ色再現性入力部６０７に入力され、平均色差が全体色差入力部６０８に入力され、印刷において特に重要な色であるグレーにおける平均色差がグレー色差入力部６０９に入力される。
【００８０】
画質評価結果入力部６１０には、ＲＧＢ補正画像における、１次色および２次色の鮮やかさ、グレーバランス、肌色の再現性などといった色再現性や、全体的な明るさ、ハイライト再現性、シャドー再現性、トーンジャンプなどといった色調子の再現性などがカテゴリー化されたランクが入力される。
【００８１】
コメント入力部６１１には、編集者からのコメントが入力される。このコメント入力部６１１に入力されるコメントとしては、「明るく」、「メリハリをつけて」、「色かぶりをとる」、「色の濁りをとる」、「ソフトに」、「キャッチライト（ガラスや金属の光）をとばす」などが考えられる。
【００８２】
以上で説明した項目のほかにも、例えば、撮影工程での撮影に関する撮影年月日、証明環境、撮影者、撮影機器名、露光条件などといった情報や、ＲＧＢ補正画像が保存されたファイルのフォーマット、データサイズ、データ形式、データ圧縮の有無、画像修正指示などが入力される。
【００８３】
編集者によって入力された色の評価は、図７の評価受付部５１３で受け付けられる。評価受付部５１３では、色の評価を表わす評価データが生成され、生成された評価データは評価組み込みデータ生成部５１４に送られる。
【００８４】
評価組み込みデータ生成部５１４では、色補正部５１２から送られてきた補正後ＲＧＢデータに、評価受付部５１３から送られてきた評価データが組み込まれて、評価組み込みデータが生成される（図８のステップＳ１５）。生成された評価組み込みデータと補正後ＲＧＢデータは、画像記録部５１５とページデータ生成部５１６に送られる。
【００８５】
ここで、評価データをＲＧＢ画像データに組み込む方法はいくつか考えられる。例えば、画像データがＴＩＦＦ画像の場合は、ＴＩＦＦ画像データ中のプライベートタグに評価データを組み込むことが考えられる。また、ＴＩＦＦ画像にＩＣＣプロファイルを添付し、プライベートタグに評価データを組み込むことが考えられる。その他、ＰＤＦファイルの場合には、画像データのコメント部に評価データを組み込んでもよい。
【００８６】
また、あえて評価データをを組み込んで同一データファイルとせず、画像データと評価データとを対応する別ファイルとして、ファイル名の一部を同じにして対応させられるようにして管理することもできる。
【００８７】
画像記録部５１５は、送られてきた補正後ＲＧＢデータおよび評価組み込みデータを、図５のハードディスク装置３１３に記録する。これらの補正後ＲＧＢデータおよび評価組み込みデータは、続いて説明するページ編集時に利用されるとともに、次回以降の編集作業時にも再利用される。
【００８８】
編集者は、ページ編集用ソフトウェアを使って、ＲＧＢ補正画像が配置されたページを編集する。このとき、ページデータ生成部５１６では、評価組み込みデータ生成部５１４から送られてきた評価組み込みデータが組み込まれた、編集者によって編集されたページを表わすＲＧＢページデータが生成される（図８のステップＳ１６）。生成されたＲＧＢページデータは、図１に示すカラープリンタ２に送られて、カラープリンタ２でＲＧＢページデータが表わすＲＧＢページ画像がプリント出力される。
【００８９】
編集者は、プリント出力されたＲＧＢページ画像を使って、ページのデザインを確認する。編集者によってデザインが確認されたＲＧＢページデータは、ネットワークを介して、色変換装置４０のデータ取得部５２１に送られる。
【００９０】
以上で図８に示す編集工程での処理の説明を終了し、続いて、図９のフローチャートを使って、色変換装置４０で行われる一連の処理について説明する。
【００９１】
編集装置３０から送られてきたＲＧＢページデータは、図７のデータ取得部５２１に取得される（図９のステップＳ２１）。データ取得部５２１で取得されたＲＧＢページデータは、画像処理部５２３に送られる。
【００９２】
また、色変換装置４０には、予め、評価データが表わす評価をプリント出力する「評価プリントボタン」、評価を表示画面３２ａに表示する「評価表示ボタン」等が設けられた評価出力用画面が用意されている。印刷者が評価出力用画面に従って評価の出力を指示すると、データ取得部５２１で取得されたＲＧＢページデータが、評価出力部５２２にも送られる。評価出力部５２２は、ＲＧＢページデータに組み込まれた評価組み込みデータの評価データが表わす評価を指定された出力方式で出力させる（図９のステップＳ２２）。ここでは、編集者が、評価を表示画面３２ａに表示する指示を行ったものとして説明する。
【００９３】
図１１は、評価が表示された画面の一例を示す図である。
【００９４】
評価表示画面７００には、補正後ＲＧＢデータが表わすＲＧＢ補正画像７１０、評価データが表わす評価のうち、編集者からの指示を表わす指示項目７２０、「画像検定完了」，「画像検定未了」，「撮影オリジナル」のうちのいずれかの画質検定状況７３０が表示されるとともに、指示項目７２０の指示を画像処理に反映させるか否かを指示する指示反映ボタン７４１、ＲＧＢ補正画像の色を自動的に修正するオートセットアップ（自動色修正処理）を実行するか否かを指示するオートセットアップボタン７４２、指示内容を確定するＯＫボタン７５１、指示内容をキャンセルするキャンセルボタン７５２が表示される。尚、画質検定状況７３０が「画像検定完了」の場合には、編集者によって、既に、ＲＧＢ補正画像の色が見た目に好ましい色であると確認されていて、色修正処理の必要がないため、オートセットアップボタン７４２はマスクされる。
【００９５】
例えば、画質検定状況７３０が「画像検定未了」や「撮影オリジナル」の場合には（図９のステップＳ２３：Ｎｏ）、ＲＧＢ補正画像の色は編集者が希望している色とは異なる可能性があり、補正後ＲＧＢデータに色修正処理が必要であることを示す。色修正処理が施されていないＲＧＢ補正画像をプリント出力したい場合などには、印刷者は、オートセットアップボタン７４２のチェックを外し（図９のステップＳ２４：Ｎｏ）、オートセットアップの省略を指示する。通常は、オートセットアップボタン７４２をチェックすることによって（図９のステップＳ２４：Ｙｅｓ）、オートセットアップの実行を指示する。
【００９６】
印刷者によってオートセットアップの実行が指示されると、図７に示す色変換装置４０の画像処理部５２３では、ＲＧＢページデータに組み込まれた評価組み込みデータの補正後ＲＧＢデータに、補正後ＲＧＢデータが表わすＲＧＢ補正画像の色を見た目に好ましい色に修正する所定の画像処理が施される。このオートセットアップは、従来から広く行われている処理であり、ここでは詳細な説明を省略する。
【００９７】
また、編集者が指示反映ボタン７４１をチェックすると（図９のステップＳ２６）、図７に示す色変換装置４０の画像処理部５２３では、ＲＧＢページデータに組み込まれた評価組み込みデータの補正後ＲＧＢデータに、図１１に示す編集者からの指示を表わす指示項目７２０に応じた画像処理が施される。ここでは、例えば、指示項目７２０のコメントが「明るく」の場合には、中間濃度部分が明るくなるように階調補正処理が施され、コメントが「キャッチライトをとばして」の場合には、ハイライト側の階調を標準よりも明るめに調整する画像処理が施され、コメントが「ソフトに」の場合には、強調強度が弱め設定されたシャープネス処理が施され、コメントが「めりはりつけて」の場合には、強調強度が強めに設定されたシャープネス処理が施される。他にも、例えば、「目標との平均色差」などが用いられた、色差が小さくなるような画像処理なども行われる。
【００９８】
このように、本実施形態の色変換装置４０によると、印刷者が画像処理に関する詳しい知識を有していなくても、編集者からの要望を満たすような画像処理を自動的に行うことができる。
【００９９】
また、例えば、図１１に示す画質検定状況７３０が「画像検定完了」の場合には（図９のステップＳ２３：Ｙｅｓ）、ＲＧＢ補正画像の色は見た目に好ましい色であり、補正後補正後ＲＧＢデータに色修正処理が必要ではないことを示す。このため、オートセットアップが行われず、ステップＳ２４およびステップＳ２５を省略して、編集者からの指示に応じた画像処理に進む（ステップＳ２６）。このように、補正後ＲＧＢデータが表わすＲＧＢ補正画像の色がすでに好ましい色である場合には、オートセットアップを省略することができる。
【０１００】
補正後ＲＧＢデータに画像処理が施されて生成された補正後ＣＭＹＫデータは、図３のオンデマンド印刷機３に送られ、オンデマンド印刷機３で補正後ＣＭＹＫデータが表わすＣＭＹＫ補正画像がプリント出力される。
【０１０１】
編集者によってＣＭＹＫ補正画像の色が確認されると、図７に示す色変換装置４０の画像処理部５２３では、さらに、補正後ＣＭＹＫデータがＲＧＢページデータの補正後ＲＧＢデータと差し替えられ、ＣＭＹＫ形式のＣＭＹＫページデータが生成される。ＣＭＹＫページデータは印刷機４に送られて、印刷機４では、ＣＭＹＫページデータが表わすページが印刷される（図９のステップＳ２８）。
【０１０２】
以上のように、編集装置３０において、画像データが表わす画像の色の評価を受け付けるとともに、画像データと評価を表わす評価データとを対応付けて評価組み込みデータを生成し、色変換装置４０において、評価組み込みデータの評価データが表わす評価に応じた色変換処理を行うことによって、編集者の要望を確実に印刷者に伝えて、その要望に応じた画像処理を容易に行うことができる。
【０１０３】
ここで、上記では、画像処理プログラムを記憶する記憶媒体としてＣＤ−ＲＯＭが例示されているが、本発明の画像処理プログラムを記憶する記憶媒体はＣＤ−ＲＯＭに限られるものではなく、それ以外のＭＯ、ＦＤ、磁気テープなどの記憶媒体であってもよい。また、本発明のデータ生成プログラムおよび画像処理プログラムは、記憶媒体を介さずに、通信網を介して直接にコンピュータに供給されるものであってもよい。
【０１０４】
また、上記では、編集装置３０と色変換装置４０とが通信ネットワークで接続されており、評価組み込みデータを通信ネットワークを介して受け渡す例について説明したが、本発明の評価出力システムでは、評価組み込みデータ生成部で生成された評価組み込みデータをＣＤ−ＲＯＭなどといった記録媒体に記録し、データセット取得部において、記録媒体に記録された評価組み込みデータを取得するものであってもよい。
【０１０５】
また、上記では、画像データに評価データが組み込まれた評価組み込みデータを生成する例について説明したが、本発明にいうデータ生成部は、例えば、画像データと評価データとの評価画像データセットを同じフォルダに保存するなどして対応付けるものであってもよい。
【０１０６】
また、上記では、オートセットアップを実行するか否かや、編集者からの指示を反映するか否かを印刷者が指示する例について説明したが、本発明の画像処理装置は、印刷者からの指示を受けずに、評価データが表わす評価に応じて、画像データに画像処理を施すものであってもよい。
【図面の簡単な説明】
【０１０７】
【図１】撮影工程でフィルムに撮影画像を記録する銀塩カメラが適用される場合の一連の印刷処理を示すワークフロー図である。
【図２】撮影工程でデジタルカメラが適用される場合の一連の印刷処理を示すワークフロー図である。
【図３】本発明の一実施形態が適用された印刷システムの全体構成図である。
【図４】パーソナルコンピュータの外観斜視図である。
【図５】パーソナルコンピュータのハードウェア構成図である。
【図６】データ生成プログラムおよび画像処理プログラムそれぞれが記憶されたＣＤ−ＲＯＭを示す概念図である。
【図７】編集装置および色変換装置の機能ブロック図である。
【図８】編集工程において画像データが取得されて、評価組み込みデータが組み込まれたＲＧＢページデータが生成されるまでの一連の処理を示すフローチャートである。
【図９】印刷工程においてＲＧＢページデータが取得されて、印刷が行われるまでの一連の処理を示すフローチャートである。
【図１０】評価入力用画面の一例を示す図である。
【図１１】評価が表示された画面の一例を示す図である。
【符号の説明】
【０１０８】
１    印刷システム
２    カラープリンタ
３    オンデマンド印刷機
４    印刷機
１１    フィルム
１２    ＲＧＢページ画像
１３    ＣＭＹＫ画像
１４    ＣＭＹＫページ画像
１５    印刷画像
２１    ＲＧＢ画像
２２    ＲＧＢページ画像
２３    ＲＧＢ画像
２４    ＣＭＹＫ画像
２５    ＣＭＹＫページ画像
２６    印刷画像
３０    編集装置
３１    本体装置
３２ａ    表示画面
３２    画像表示装置
３３    キーボード
３４    マウス
３１ａ    ＦＤ装填口
３１ｂ    ＣＤ−ＲＯＭ装填口
４０    色変換装置
１１０，１１１    ＣＤ−ＲＯＭ
３１１    ＣＰＵ
３１２    主メモリ
３１３    ハードディスク装置
１００    ＦＤ
３１４    ＦＤドライブ
３１５    ＣＤ−ＲＯＭドライブ
３１６    入力インタフェース
３１７    出力インタフェース
３５    バス
４１０    データ生成プログラム
４１１    画像取得部
４１２    色補正部
４１３    評価受付部
４１４    評価組み込みデータ生成部
４１５    画像記録部
４１６    ページデータ生成部
４２０    画像処理プログラム
４２１    データセット取得部
４２２    評価出力部
４２３    画像処理部
５１１    画像取得部
５１２    色補正部
５１３    評価受付部
５１４    評価組み込みデータ生成部
５１５    画像記録部
５１６    ページデータ生成部
５２１    データセット取得部
５２２    評価出力部
５２３    画像処理部
６００    評価入力用画面
６０１    画像ＩＤ入力部
６０２    画像名称入力部
６０３    画質検定状況入力部
６０４    画質評価年月日入力部
６０５    画質評価者入力部
６０６    画質評価装置入力部
６０７    プリンタ色再現性入力部
６０８    全体色差入力部
６０９    グレー色差入力部
６１０    画質評価結果入力部
６１１    コメント入力部
【図１】
2006033721.tif 000003
【図２】
2006033721.tif 000004
【図３】
2006033721.tif 000005
【図４】
2006033721.tif 000006
【図５】
2006033721.tif 000007
【図６】
2006033721.tif 000008
【図７】
2006033721.tif 000009
【図８】
2006033721.tif 000010
【図９】
2006033721.tif 000011
【図１０】
2006033721.tif 000012
【図１１】
2006033721.tif 000013